(57)【要約】      （修正有）【課題】生体から採取できる種々のサンプルから健康状態を分析して多項目に亘る範囲の健康診断を容易且つ迅速に実施することができると共に、各生体の診断結果に応じた健康状態の維持を柔軟に支援することができる健康診断支援システム及び健康診断支援方法を提供する。【解決手段】生体のサンプルを採取するサンプル採取手段４１と、生体２のサンプルを取得して健康状態に関する事項を分析する分析手段４２と、健康を維持又は回復するための商品情報を予め格納して管理するデータベース４１０とを有すると共に、分析手段４２に基づく結果を診断結果として出力する分析診断端末４を具備し、分析診断端末４は、診断結果を生体２の健康状態を示す情報として提供すると共に、診断結果を受けて健康を維持又は回復するための商品情報をデータベース４１０から抽出することで、当該商品情報が現状の診断結果との組み合わせによる効果を示す情報として提供される。【選択図】図１
2007011747.tif 000002
【特許請求の範囲】
【請求項１】
生体のサンプルを採取するサンプル採取手段と、
前記生体のサンプルを取得して健康状態に関する事項を分析する分析手段と、
設置する店舗又は施設で取り扱われている健康を維持又は回復するための商品情報を予め格納して管理するデータベースとを有すると共に、前記分析手段に基づく結果を前記生体に関する診断結果として出力する分析診断端末を具備し、
前記分析診断端末は、前記診断結果を前記生体の健康状態を示す情報として提供すると共に、前記診断結果を受けて健康を維持又は回復するための商品情報を前記データベースから抽出することで、当該商品情報が現状の診断結果との組み合わせによる効果を示す情報として提供されることを特徴とする健康診断支援システム。
【請求項２】
請求項１において、
前記商品情報は、前記分析診断端末を設置する店舗で取り扱われ且つ前記診断結果の補助に適合する商品であることを特徴とする健康診断支援システム。
【請求項３】
請求項１又は２において、
前記分析診断端末は、前記診断結果が出力されるまでの間に、当該分析診断端末が設置されている店舗に関する特異情報を画面上に表示することを特徴とする健康診断支援システム。
【請求項４】
請求項１〜３の何れか一つにおいて、
前記分析手段は、１のサンプルを採取する毎に取り替えて殺菌する部位の殺菌レベルの度合いを表示する殺菌レベル表示手段を具備しており、
当該殺菌レベルの度合いに応じて表示が変化することを特徴とする健康診断支援システム。
【請求項５】
請求項１〜４の何れか一つにおいて、
前記診断結果、当該診断結果を提供するための承諾を得た個人の個人情報、及び当該診断結果を支援する又は取扱う第三者組織に関する情報を管理する管理サーバーをさらに具備することを特徴とする健康診断支援システム。
【請求項６】
請求項５において、
前記管理サーバーには、過去の診断結果が管理されており、前記分析診断端末は、過去の診断結果を抽出して、現状の診断結果と比較した場合の診断結果を提供することを特徴とする健康診断支援システム。
【請求項７】
請求項５又は６において、
前記分析診断端末は、前記診断結果を提供することを承諾する個人情報提供承諾機能と、
前記診断結果に基づき医療機関による治療又は精密検査を希望する場合に医療機関を紹介する医療機関紹介機能とをさらに有しており、
承諾された個人に関する診断結果又は医療機関の紹介要求を個人情報として前記管理サーバーに対して転送することを特徴とする健康診断支援システム。
【請求項８】
請求項７において、
前記診断結果又は前記個人情報は、前記健康診断支援システムを導入した導入元に対する対価の支払に基づいて要請のある前記第三者組織に提供されることを特徴とする健康診断支援システム。
【請求項９】
請求項１〜８の何れか一つにおいて、
前記診断結果及び前記商品情報は、対価の発生により前記サンプルを取得させたサンプル主に提供されることを特徴とする健康診断支援システム。
【請求項１０】
請求項１〜９の何れか一つにおいて、
前記商品情報に基づいて、前記サンプル主が該当する商品を購入した場合には、予め規定されている商品の購入金額に相当する割合の対価が前記健康診断支援システムを導入した導入元に対して還元されることを特徴とする健康診断支援システム。
【請求項１１】
請求項１〜１０の何れか一つにおいて、
前記サンプルは、少なくとも、人体から採取できる血液、呼気、痰、唾液、便、尿、皮膚、及び毛髪の何れかであることを特徴とする健康診断支援システム。
【請求項１２】
生体のサンプルを採取すると共に取得して健康状態に関する事項を分析すると共に、当該分析に基づく結果を前記生体に関する診断結果として出力する装置において、
当該診断結果を前記生体の健康状態を示す情報として提供する一方で、当該診断結果の補助に適合する商品に関する商品情報を現状の診断結果と商品との組み合わせによる効果を示す情報として提供することを特徴とする健康診断支援方法。
【請求項１３】
請求項１２において、
前記診断結果は、前記サンプルを取得させたサンプル主の意思に基づいて継続的に管理及び提供されると共に、前記装置を導入した導入元に対する対価の支払に基づいて要請のある第三者組織に提供されることを特徴とする健康診断支援方法。
【請求項１４】
請求項１２又は１３において、
前記商品情報に基づいて、前記サンプルを取得させたサンプル主が該当する商品を購入した場合には、当該商品の購入金額に相当する割合の対価が前記装置を導入した導入元に対して還元されることを特徴とする健康診断支援方法。
【発明の詳細な説明】
【技術分野】
【０００１】
本発明は、健康診断支援システム及び健康診断支援方法に関し、特に生体のサンプルから健康状態を分析して診断することで、当該生体に関する健康状態の維持を支援する場合に適用して有用なものである。
【背景技術】
【０００２】
近年、健康状態を検査して管理するために様々な手法が提案されている。例えば、患者のサンプルを遠隔地で検査する遠隔医療（特許文献１参照）、遠隔地で詳細な個人の血液検査を評価できる携帯用または装着式サイトメータ（特許文献２参照）、及び兵士の健康の状態を遠隔地から監視する装置（特許文献３参照）などの技術が提案されている。これらは何れも、遠隔地から健康状態を検査又は監視することを主眼とした技術であるため、多項目に亘る範囲の健康状態を容易且つ迅速に管理することは困難であった。
【０００３】
また、従来から医療現場では、例えば、血液サンプルが注射器で必要以上に大量にサンプリングされる手法が主流であるため、検査対象となる生体サンプルを採取するには患者に対する負担が大きいことが問題であった。さらに、生体サンプルの分析にあっては、例えば、別の場所にある検査受諾機関などで行われて、後日医師に結果が送付される手法を採用している。このため、検査してから結果が出るまでに相当のタイムラグが発生することとなり、緊急を要する結果に対して直ちに対処できないという問題もあった。
【０００４】
一方、自宅などで簡単に健康状態を確認する方法として、例えば、血圧計や体重計などの既存商品を用いることが挙げられる。また近年では、フローサイトメトリなどを使った分析装置も市販されており、短時間で血液分析ができる状況にある。さらに、より簡便な分析方法としては、免疫クロマトを利用した分析方法が、感染症や妊娠などの判定に用いられている。しかしながら、何れの方法も利便さはあるが多目的且つ多方面から健康状態を分析できるものではなく、又、医療現場の検査と比べて一定の数値などの根拠に基づく確証が得られ難いため、信憑性に乏しいという欠点もあった。
【０００５】
さらに、健康状態の維持を支援する技術として、例えば、薬局内において消費者（患者）からの処方箋を使用してターゲットを絞ったプロモーションを提供するシステム（特許文献４）が提案されているが、現在治療中の医薬品に基づく情報をターゲットにしているため、例えば、将来的に起こりうる可能性のある情報を絡めた情報を提供することができず、柔軟性のあるシステムとは言え難かった。
【０００６】
また、ネットワークやインターネットにより遠隔地から患者の健康状態を管理するシステム（特許文献５及び６参照）も提案されているが、植え込み可能なあるいは体外装着型の医療装置を装着する必要があるため、患者に対する負担が大きかった。
【０００７】
その他、生体サンプルから目的に応じた分析を行うための装置も種々提案されている（特許文献７、８、及び９）。
【０００８】
【特許文献１】特表２００２−５１１９６５号公報
【特許文献２】特表２００４−５０５２７２号公報
【特許文献３】特開平１０−２９５６５２号公報
【特許文献４】特表２００４−５０７８３７号公報
【特許文献５】特表２００４−５２６４６６号公報
【特許文献６】特表２００４−５０７９３５号公報
【特許文献７】特開２００１−２５８８６８号公報
【特許文献８】特開２００４−３４７６０４号公報
【特許文献９】特表２００２−５２７７２６号公報
【発明の開示】
【発明が解決しようとする課題】
【０００９】
本発明は上記従来技術に鑑み、生体から採取できる種々のサンプルから健康状態を分析して多項目に亘る範囲の健康診断を容易且つ迅速に実施することができると共に、各生体の診断結果に応じた健康状態の維持を柔軟に支援することができる健康診断支援システム及び健康診断支援方法を提供することを目的とする。
【課題を解決するための手段】
【００１０】
上記目的を達成する本発明の第１の態様は、
生体のサンプルを採取するサンプル採取手段と、
前記生体のサンプルを取得して健康状態に関する事項を分析する分析手段と、
設置する店舗又は施設で取り扱われている健康を維持又は回復するための商品情報を予め格納して管理するデータベースとを有すると共に、前記分析手段に基づく結果を前記生体に関する診断結果として出力する分析診断端末を具備し、
前記分析診断端末は、前記診断結果を前記生体の健康状態を示す情報として提供すると共に、前記診断結果を受けて健康を維持又は回復するための商品情報を前記データベースから抽出することで、当該商品情報が現状の診断結果との組み合わせによる効果を示す情報として提供されることを特徴とする。
【００１１】
本態様では、生体のサンプルが採取されると共に取得されて健康状態に関する事項が分析され、その分析に基づく結果が生体に関する診断結果として出力されることで、診断結果が生体の健康状態を示す情報として提供されると共に、その診断結果を受けて健康を維持又は回復するための商品情報が提供される。これにより、生体から採取できる種々のサンプルから健康状態を分析して、容易且つ迅速に健康診断を実施することができると共に、診断結果に応じた健康状態の維持を支援することが可能となる。
【００１２】
本発明の第２の態様は、
上記第１の態様において、
前記商品情報は、前記分析診断端末を設置する店舗で取り扱われ且つ前記診断結果の補助に適合する商品であることを特徴とする。
【００１３】
本態様では、商品情報が、分析診断端末が設置される店舗で取り扱われ且つ診断結果の補助に適合する商品となる。これにより、診断結果に応じた健康状態の維持を的確に支援することが可能となる。
【００１４】
本発明の第３の態様は、
上記第１又は２の態様において、
前記分析診断端末は、前記診断結果が出力されるまでの間に、当該分析診断端末が設置されている店舗に関する特異情報を画面上に表示することを特徴とする。
【００１５】
本態様では、診断結果が出力されるまでの間に店舗に関する特異情報が分析診断端末の画面上に表示される。これにより、各店舗に応じて健康状態の維持を柔軟に支援することが可能となる。
【００１６】
本発明の第４の態様は、
上記第１〜３の何れか一つの態様において、
前記分析手段は、１のサンプルを採取する毎に取り替えて殺菌する部位の殺菌レベルの度合いを表示する殺菌レベル表示手段を具備しており、
当該殺菌レベルの度合いに応じて表示が変化することを特徴とする。
【００１７】
本態様では、分析装置において、１のサンプルを採取する毎に取り替えられて殺菌される部位の殺菌レベルの度合いに応じて表示が変化する。これにより、安全且つ清潔に、生体から採取できる種々のサンプルから健康状態を分析して健康診断を実施することができる。
【００１８】
本発明の第５の態様は、
上記第１〜４の何れか一つの態様において、
前記診断結果、当該診断結果を提供するための承諾を得た個人の個人情報、及び当該診断結果を支援する又は取扱う第三者組織に関する情報を管理する管理サーバーをさらに具備することを特徴とする。
【００１９】
本態様では、診断結果、その診断結果を提供するための承諾を得た個人の個人情報、及びその診断結果を支援する又は取扱う第三者組織に関する情報が管理される。これにより、必要な情報に基づいて、各生体の診断結果に応じた健康状態の維持を柔軟に支援することが可能となる。
【００２０】
本発明の第６の態様は、
上記第５の態様において、
前記管理サーバーには、過去の診断結果が管理されており、前記分析診断端末は、過去の診断結果を抽出して、現状の診断結果と比較した場合の診断結果を提供することを特徴とする。
【００２１】
本態様では、過去の診断結果が抽出されて、現状の診断結果と比較した場合の診断結果が提供される。これにより、より柔軟に各生体の診断結果に応じた健康状態の維持を支援することが可能となる。
【００２２】
本発明の第７の態様は、
上記第５又は６の態様において、
前記分析診断端末は、前記診断結果を提供することを承諾する個人情報提供承諾機能と、
前記診断結果に基づき医療機関による治療又は精密検査を希望する場合に医療機関を紹介する医療機関紹介機能とをさらに有しており、
承諾された個人に関する診断結果又は医療機関の紹介要求を個人情報として前記管理サーバーに対して転送することを特徴とする。
【００２３】
本態様では、承諾された個人に関する診断結果又は医療機関の紹介要求が個人情報として管理サーバーに対して転送される。これにより、例えば、個人の意思に応じて、より柔軟に各生体の診断結果に応じた健康状態の維持を支援することが可能となる。
【００２４】
本発明の第８の態様は、
上記第７の態様において、
前記診断結果又は前記個人情報は、前記健康診断支援システムを導入した導入元に対する対価の支払に基づいて要請のある前記第三者組織に提供されることを特徴とする。
【００２５】
本態様では、診断結果又は個人情報が、健康診断支援システムを導入した導入元に対する対価の支払に基づいて要請のある第三者組織に提供される。これにより、導入元と第三者組織の連携によって、より柔軟に各生体の診断結果に応じた健康状態の維持を支援することが可能となる。
【００２６】
本発明の第９の態様は、
上記第１〜８の何れか一つの態様において、
前記診断結果及び前記商品情報は、対価の発生により前記サンプルを取得させたサンプル主に提供されることを特徴とする。
【００２７】
本態様では、診断結果及び商品情報が、対価の発生によりサンプルを取得させたサンプル主に提供される。これにより、必要な情報が対価の発生により有効に活用されることで、より柔軟に各生体の診断結果に応じた健康状態の維持を支援することが可能となる。
【００２８】
本発明の第１０の態様は、
上記第１〜９の何れか一つの態様において、
前記商品情報に基づいて、前記サンプル主が該当する商品を購入した場合には、予め規定されている商品の購入金額に相当する割合の対価が前記健康診断支援システムを導入した導入元に対して還元されることを特徴とする。
【００２９】
本態様では、商品情報に基づいて、サンプル主が該当する商品を購入した場合には、予め規定されている商品の購入金額に相当する割合の対価が健康診断支援システムを導入した導入元に対して還元される。これにより、必要な情報や行為に基づき対価が有効に還元されるため、より柔軟に各生体の診断結果に応じた健康状態の維持を支援することが可能となる。
【００３０】
本発明の第１１の態様は、
上記第１〜１０の何れかの態様において、
前記サンプルは、少なくとも、人体から採取できる血液、呼気、痰、唾液、便、尿、皮膚、及び毛髪の何れかであることを特徴とする。
【００３１】
本態様では、サンプルは、少なくとも、人体から採取できる血液、呼気、痰、唾液、便、尿、皮膚、及び毛髪の何れかとなる。これにより、より容易且つ迅速に、生体から採取できる種々のサンプルから健康状態を分析して多項目に亘る範囲の健康診断を実施することができる。
【００３２】
本発明の第１２の態様は、
生体のサンプルを採取すると共に取得して健康状態に関する事項を分析すると共に、当該分析に基づく結果を前記生体に関する診断結果として出力する装置において、
当該診断結果を前記生体の健康状態を示す情報として提供する一方で、当該診断結果の補助に適合する商品に関する商品情報を現状の診断結果と商品との組み合わせによる効果を示す情報として提供することを特徴とする。
【００３３】
本態様では、生体のサンプルを採取すると共に取得して健康状態に関する事項を分析すると共に、当該分析に基づく結果を前記生体に関する診断結果として出力する装置によって、診断結果が生体の健康状態を示す情報として提供される一方で、診断結果の補助に適合する商品に関する商品情報が現状の診断結果と商品との組み合わせによる効果を示す情報として提供される。これにより、生体から採取できる種々のサンプルから健康状態を分析して、容易且つ迅速に健康診断を実施することができると共に、診断結果を健康状態の１つの指標とすることができるため、その診断結果に応じた健康状態の維持を的確に支援することが可能となる。
【００３４】
本発明の第１３の態様は、
上記第１２の態様において、
前記診断結果は、前記サンプルを取得させたサンプル主の意思に基づいて継続的に管理及び提供されると共に、前記装置を導入した導入元に対する対価の支払に基づいて要請のある第三者組織に提供されることを特徴とする。
【００３５】
本発明の第１３の態様では、
診断結果が、サンプルを取得させたサンプル主の意思に基づいて継続的に管理及び提供されると共に、装置を導入した導入元に対する対価の支払に基づいて要請のある第三者組織に提供される。これにより、診断結果が個人の意思により管理及び提供され、又、必要な情報が対価の発生により有効に活用されることで、より柔軟に各生体の診断結果に応じた健康状態の維持を支援することが可能となる。
【００３６】
本発明の第１４の態様は、
上記第１２又は１３の態様において、
前記商品情報に基づいて、前記サンプルを取得させたサンプル主が該当する商品を購入した場合には、当該商品の購入金額に相当する割合の対価が前記装置を導入した導入元に対して還元されることを特徴とする。
【００３７】
本態様では、商品情報に基づいて、サンプルを取得させたサンプル主が該当する商品を購入した場合には、その商品の購入金額に相当する割合の対価が装置を導入した導入元に対して還元される。これにより、個人の健康診断後の行為に基づき有効に対価が還元されるため、より柔軟に各生体の診断結果に応じた健康状態の維持を支援することが可能となる。
【発明の効果】
【００３８】
本発明によれば、例えば、自己管理の下で手軽に採取できる種々のサンプルが健康診断の分析に用いられるため、生体から採取できる種々のサンプルから健康状態を分析して多項目に亘る範囲の健康診断を容易且つ迅速に実施することができると共に、例えば、個人の意思により詳細なサポートが受けられるため、各生体の診断結果に応じた健康状態の維持を柔軟に支援することができる健康診断支援システム及び健康診断支援方法を提供することが可能となる。
【発明を実施するための最良の形態】
【００３９】
以下、本発明の実施の形態を図面に基づき詳細に説明する。なお、本実施形態の説明は例示であり、本発明の構成は以下の説明に限定されない。
【００４０】
図１は、本実施形態に係る健康診断支援システムのシステム構成図である。なお、本実施形態では、健康診断支援システムが店舗又は関連施設に設置されている場合として薬局を例示しており、その薬局を訪れてサンプルを提供する消費者をサンプル主と称して説明する。
【００４１】
同図に示すように、本実施形態の健康診断支援システム１は、薬局に設置される分析診断端末４がイントラネット１０を介して管理サーバー５及び分析診断端末４を薬局に導入する導入元６と接続されると共に、管理サーバー５がインターネット１１を介して第三者組織７と接続されることで構成されている。ここで、イントラネット１０及びインターネット１１は、例えば、授受する情報を暗号化するなどして情報の漏洩を防止すると共に、外部からの通信傍受を不可能とする通信環境を構築できるものが望ましい。また、イントラネット１０及びインターネット１１は、本実施形態に限定されず、必要に応じて、何れか一方又は双方を専用回線やインターネット回線とすればよい。
【００４２】
そして、薬局を訪れる消費者であるサンプル主２がサンプル採取手段４１でサンプルを採取し、分析手段４２にサンプルを取得させることで、サンプル主２の健康状態に関する事項が分析される。その後、解析手段４３が、分析手段４２で分析した結果に基づいて、その得られた情報の健康上の意義を解析する。そして、診断結果に基づいて別途他のサポートを希望するサンプル主２は、診断結果を個人情報として提供することに承諾することで、例えば、後述する管理サーバー５又は第三者組織７を経由した健康の維持又は回復に関するサポートや医療機関の紹介を受けることができるようになっている。また、サンプル主２は、自身が保持するパーソナルコンピュータ３Ａ又は携帯電話機３Ｂから分析診断端末４に対して通信できるようにしてもよい。このような構成は、例えば、サンプル主２が分析診断端末４からの情報を受け取り得る状態にない場合などに有効である。
【００４３】
また、導入元６は、分析診断端末４から得られる診断結果に基づいてサンプル主２に情報を提供することや、管理サーバー５で情報を管理することで、サンプル主２又は第三者組織７を経由して相当の対価が得られるような仕組みとなっている。なお、管理サーバー５は、導入元６が直接的に管理してもよいし、外部委託することで間接的に管理するようにしてもよい。このような導入元６としては、例えば、分析診断端末４を製造販売して健康診断支援システム１を構築することが可能な製造メーカなどを挙げることができる。
【００４４】
一方、診断結果及び健康状態を維持又は回復するための各種情報は、例えば、サンプル主２からの対価の発生により提供される仕組みとしてもよい。ここでいうサンプル主２からの対価の発生とは、分析診断端末４に対する現金投入、薬局で発行される現金相当のポイントカードの利用、及び薬局で発行される分析診断端末４の利用チケットなどが考えられる。
【００４５】
次に、健康診断支援システム１を構成する各々の構成について具体的に説明する。まず、分析診断端末４について説明する。
【００４６】
分析診断端末４は、分析手段３の分析に基づく結果をサンプル主２の診断結果として出力することで、診断結果をサンプル主２の健康状態を示す情報として提供すると共に、その診断結果に基づく情報を今後の健康の維持又は回復のための情報として提供する。また、ここでいう診断結果の出力とは、例えば、分析診断端末４の表示手段４４の画面上に表示させることや、通信手段４７からイントラネット１０を介してサンプル主２が保持する情報通信機器（例えば、パーソナルコンピュータ３Ａ、携帯電話機３Ｂ）に対してデータとして転送することや、分析診断端末４に印刷機などを接続することで印刷物として出力することなどが考えられる。
【００４７】
サンプル採取手段４１は、生体となるサンプル主２のサンプルを採取する。ここで、サンプルとしては、例えば、人体から採取できる血液、呼気、痰、唾液、便、尿、皮膚、及び毛髪の何れかが挙げられる。このようなサンプルが取り込まれるため、衛生面には十分な配慮をする必要があり、本実施形態では、サンプルが投入される部位を取り替えて殺菌する部位として、例えば、自動的に取替え可能な殺菌済みの検査キットなどが考えられる。これにより、例えば、衛生面に配慮する必要がある部位を消耗品として使い捨てることができるため、その部位を取り替えることで清潔なサンプル採取手段４１として再生することができる。
【００４８】
分析手段４２は、生体のサンプルを取得して健康状態に関する事項を分析する。具体的には、サンプル主２がサンプル採取手段４１で自主的にサンプルを採取して分析手段４２に取り込ませるようにする。また、分析手段４２は、１のサンプルを採取する毎に取り替えて殺菌する部位（例えば、サンプル採取手段４１に含まれる部位）の殺菌レベルの度合いを表示する殺菌レベル表示手段４２０を具備しており、その殺菌レベルの度合いに応じて表示が変化するようになっている。すなわち、例えば、後述する分析診断端末４の画面上に「取替済」、「殺菌中」、「お待ち下さい」、「殺菌済」などのように状況に合わせてその時点の状態が適宜表示される。
【００４９】
解析手段４３は、上述した通りの構成であり、本実施形態では、分析手段４２による分析の後に、解析手段４３による解析を行っているが、特に限定されず、例えば、分析をするだけでもよい。このような分析のみの情報の出力によっても、サンプル主２は、一次的な診断結果を得ることができる。
【００５０】
また、上述のようなサンプル採取手段４１などは、ＭＥＭＳ（micro electro mechanical systems）技術を適用することで容易に構成することができる。このため、小型化、低消費電力化、高性能化という観点から製造できる分析診断端末４を、例えば、スペースが少なく且つ店舗数の多い薬局などに手軽に設置することが可能となる。
【００５１】
さらに、上述のような分析診断端末４は、健康診断の支援に関する各種情報を画面上に表示する表示手段４４、健康診断の支援に関する各種情報を入力する入力手段４５、健康診断の支援に関する各種情報を出力する出力手段４６、健康診断の支援に関する各種情報を外部に通信する通信手段４７、分析診断端末４に備わる各種手段を制御する制御手段４８、及び後述するデータベース４１０を含んで構成されている。そして、制御手段４８の機能として、診断結果を提供することを承諾する個人情報提供承諾機能４９、診断結果に基づき医療機関による治療又は精密検査を希望する場合に医療機関を紹介する医療機関紹介機能５０が含まれている。なお、診断結果の提供を承諾するにあたっては、匿名又は署名付きの何れかが選択できるようにすることもできる。
【００５２】
このうち、データベース４１０では、分析診断端末４を設置する店舗又は施設で取り扱われている健康を維持又は回復するための商品情報を予め格納して管理する。本実施形態では、分析診断端末４を設置する薬局で取り扱われている商品に関する商品情報又は上述した特異情報が予め格納して管理されている。ここでいう商品情報とは、例えば、薬局で販売している医薬品や健康食品（例えば、サプリメント）などである。これにより、例えば、診断結果の補助に適合する商品に関する商品情報がデータベース４１０から抽出されて、その商品情報を現状の診断結果と商品との組み合わせによる効果を示す情報としてサンプル主２に提供されることになる。ここで提供される情報は、サンプル主２に対して健康を維持又は回復するための１つの指標とすることができる。さらに、商品情報に基づいて、サンプル主２が該当する商品を購入した場合には、予め規定されている商品の購入金額に相当する割合の対価が、分析診断端末４又は健康診断支援システム１を導入した導入元６に対して還元されることになる。一方、特異情報とは、例えば、その薬局の消費者（サンプル主２）に向けた独自の情報となるお勧め情報や特売情報並びに売れ筋情報などである。これにより、診断結果が出力されるまでの間に薬局に関する特異情報がデータベース４１０から抽出されて表示手段４４の画面上に表示されることになる。
【００５３】
また、個人情報提供承諾機能４９又は医療機関紹介機能５０によって承諾された個人に関する診断結果又は医療機関の紹介要求は、個人情報としてイントラネット１０を介して後述する管理サーバー５に対して転送される。これにより、サンプル主２の意思に基づいて診断結果が継続的に管理又は提供されることとなり、例えば、管理サーバー５を経由して健康状態を維持又は回復するためのサポートを受けることが可能となる。
【００５４】
なお、本実施形態では、健康診断支援システム１を店舗に設置する場合として薬局を例示しているが、これに限定されず、例えば、ドラッグストア、デパートなどの健康食品売場、診療所、保健所、及び小病院などに設置することも考えられる。また、これらの店舗に設置する場合としては、プライバシーを尊重すべく、例えば、トイレ、個室、カーテン付きなどの状況とすることが望ましい。
【００５５】
次に、管理サーバー５について説明する。なお、管理サーバー５の説明において、導入元６及び第三者組織７についての関連する事項も説明する。
【００５６】
管理サーバー５は、健康診断の支援に関する各種情報をイントラネット１０及びインターネット１１を介して送信する情報送信手段５１、健康診断の支援に関する各種情報をイントラネット１０及びインターネット１１を介して受信する情報受信手段５２、管理サーバー５に対するアクセス数又は管理サーバー５に格納されている情報（例えば、医療機関）の紹介数を含む情報を管理するカウント手段５３、管理サーバー５に対するアクセス数又は紹介数に基づいて導入元６に対して支払われる相当の対価を算出する対価算出手段５４、管理サーバー５に備わる各種手段などを制御する制御手段５５、及びデータベース５６を含み構成されている。このうち、データベース５６は、分析診断端末４による診断結果、その診断結果を提供するための承諾を得た個人の個人情報、及びその診断結果を支援する又は取扱う第三者組織７に関する情報などを格納して管理する。
【００５７】
ここで、第三者組織７とは、予め導入元６との間で業務提携している組織を意味しており、例えば、医療機関、スポーツセンター、健康食品販売会社、調査・分析会社、人材（例えば、被験者）紹介会社などが挙げられる。そして、これらの各第三者組織７毎に関する組織情報が格納されて管理される。さらに、データベース５６には、過去の診断結果が蓄積されて管理されており、診断端末４がイントラネット１０を介して過去の診断結果を抽出することで、現状の診断結果と比較した場合の診断結果がサンプル主２に提供される。
【００５８】
このような管理サーバー５により、診断結果又は個人情報が、分析診断端末４又は健康診断支援システム１を導入した導入元６に対する対価の支払に基づいて要請のある第三者組織７に提供されるようになる。なお、管理サーバー５は、例えば、分析診断端末４と共に薬局の内部、すなわち各店舗で個別に設置されるようにしてもよいし、一方で、薬局の外部に設置されるようにして薬局などにおける複数の店舗の情報を統一的に管理できるセンターとして構成してもよい。
【００５９】
次に、健康診断支援システム１の画面構成例について説明する。図２は、本実施形態に係る診断申込画面の一例を示す図であり、図３は、本実施形態に係る診断結果出力画面の一例を示す図であり、図４は、本実施形態に係る診断後のサポート受付画面の一例を示す図であり、図５は、本実施形態に係る個人情報提供によるサポート画面の一例を示す図である。
【００６０】
まず、薬局を訪れる消費者であるサンプル主２が、分析診断端末４の画面上に表示された項目に対する入力操作をすることにより、健康診断の申込が行われる。このとき、例えば、個人を確実に認証するＩＣカード又はバイオメトリックス認証（例えば、静脈認証、指紋認証）を用いて消費者であるサンプル主２を特定することで申込みを行うようにしてもよい。図２に示す例では、アレルギーが診断項目として選択されており、その分析をするサンプルとして唾液をサンプル採取手段４１に投入する旨が表示されている。
【００６１】
そして、一定時間を経過した後に、診断結果が出力される。図３に示す例では、診断結果とその診断結果に基づく商品情報及びアドバイスが表示されるようになっている。このとき、診断結果に基づいて、より詳細なサポートを受けたい場合には、例えば、図３に示された「サポート申込」ボタンをクリック操作することで、より詳細な検査やアドバイスなどの健康状態の維持又は回復に関するサポートを受けることができる。
【００６２】
そして、「サポート申込」ボタンをクリック操作すると、図４に示すようなサポート受付画面に移行する。図４に示す例では、サポート内容として、「医療機関紹介」、「個人情報提供によるサポート」が示されている。また、サポートを中止したい場合には、「中止」ボタンをクリックすることで、健康診断が終了する。
【００６３】
ここで、個人情報を提供することでサポートを受けたい場合には、「個人情報提供によるサポート」ボタンをクリック操作することで、図５に示すような個人情報提供によるサポート画面に移行する。図５（ａ）に示す例では、診断結果を他の組織に提供することについて承諾するか否かが選択できるようになっている。そして、承諾する方を選択した場合には、氏名（匿名可）、連絡先（任意）、性別、及び年齢などの個人情報を入力するようになっている。なお、性別や年齢は、健康診断の申込時、すなわち、健康診断の申込画面で入力するようにしてもよい。
【００６４】
そして、図５（ａ）の画面上において「続行」ボタンをクリック操作すると、図５（ｂ）の画面に移行する。図５（ｂ）に示す例では、個人情報の提供を承諾する組織が選択できるようになっており、健康食品販売会社が選択されている。この状態で「続行」ボタンをクリック操作すると、健康食品販売会社に個人情報が提供されることになる。
【００６５】
次に、健康診断支援システム１の通信手順について説明する。図６は、本実施形態に係る健康診断支援システムの通信シーケンスを示す図である。
【００６６】
同図に示すように、まず、導入元６が製造した分析診断端末４が薬局に導入される（Ｓ１）。そして、薬局の消費者となるサンプル主２が健康診断を申込むことでサンプルが提供される（Ｓ２）。すなわち、分析診断端末４により選択された診断項目に該当するサンプルが分析手段４２に取得されることで（Ｓ３）、分析が実施されると共に、解析手段４３による解析が実施されて、分析診断端末４から診断結果が出力される（Ｓ４）。さらに、その診断結果を補助するための商品情報がデータベース４１０から抽出されて（Ｓ５）、診断結果及び商品情報がサンプル主２に提供される（Ｓ６）。このとき、分析手段４２では、サンプルが投入されたサンプル採取手段４１の検査キットが取り替えられて殺菌レベルの度合いが表示される（Ｓ７）。また、殺菌中となる待ち時間に、分析診断端末４の画面上に薬局の特異情報を表示するようにしてもよい。
【００６７】
ここで、サンプル主２が、提供された商品情報に基づいて商品を購入した場合（Ｓ８；Ｙｅｓ）には、その商品の購入金額に対する相当の対価が導入元６に還元される（Ｓ９）。
【００６８】
一方、サンプル主２が提供された診断結果に基づいて、より詳細なサポートを申込む場合（Ｓ１０；Ｙｅｓ）には、分析診断端末４でサンプル主２から個人情報の提供に対する承諾を得た上で、個人情報を管理サーバー５に転送する（Ｓ１１）。このとき、例えば、診断結果又は医療機関の紹介要求なども送信される。
【００６９】
管理サーバー５では、情報受信手段５２が転送された個人情報を受信してデータベース５６に蓄積して管理する（Ｓ１２）。また、このとき、個人情報と共に医療機関の紹介要求が同時に転送されてきた場合には、診断結果に基づいて該当する医療機関がデータベース５６から抽出されて情報送信手段５１から分析診断端末４に送信される（Ｓ１３）。そして、分析診断端末４では、サンプル主２に医療機関を紹介する（Ｓ１４）。同時に、紹介した情報が回数としてカウント手段５３により管理されると共に、対価算出手段５４により紹介数に基づいて相当の対価が算出されるため、その都度又は一定期間毎に紹介数に応じた対価が医療機関（第三者組織７）から導入元６に対して支払われることになる（Ｓ１５）。
【００７０】
また、導入元６が管理する管理サーバー５と第三者組織７とは、予め業務提携しており、第三者組織７が管理サーバー５にアクセスすることでその回数を含む情報がカウント手段５３により管理される。このため、第三者組織７が管理サーバー５に対してアクセスすることで（Ｓ１６）、データベース５６で管理されている個人情報が提供される（Ｓ１７）。同時に、アクセスした情報が回数としてカウント手段５３により管理されると共に、対価算出手段５４によりアクセス数に基づいて相当の対価が算出されるため、その都度又は一定期間毎にアクセス数に応じた対価が第三者組織７から導入元６に対して支払われることになる（Ｓ１５）。
【００７１】
そして、最終的に、第三者組織７からサンプル主２に対して健康状態をサポートするための各種情報が提供される（Ｓ１８）。ここで提供される情報としては、例えば、診断結果に基づくスポーツセンターからのトレーニング案内、診断結果に基づく健康食品販売会社からの商品案内、調査・分析会社からの年齢別又は性別などに基づく統計データなどが考えられる。また、人材（被験者）紹介会社からのダイレクト通知なども考えられ、新薬や新たな健康食品を入手して試したい希望のある消費者（サンプル主２）などには有効な情報となる。
【００７２】
以上説明したように、本実施形態では、サンプル主２が自己責任の下で容易且つ迅速に採取できるサンプルに基づいて、そのサンプルの分析により得られる診断結果から適切な治療や情報提供などの各種サポートに繋げていくことで、サンプル主２は健康状態を維持していくことが可能となる。また、本実施形態の健康診断支援システム１の導入により、薬局側においては、サンプル主２が健康診断を受けたり商品を購入したりすることで一定の利益を得ることができる一方、導入元６側においても、第三者組織７と予め業務提携をすることで、双方のビジネスに有利となるように貢献することも可能となる。
【図面の簡単な説明】
【００７３】
【図１】本発明の実施の形態に係る健康診断支援システムのシステム構成図である。
【図２】本発明の実施の形態に係る診断申込画面の一例を示す図である。
【図３】本発明の実施の形態に係る診断結果出力画面の一例を示す図である。
【図４】本発明の実施の形態に係る診断後のサポート受付画面の一例を示す図である。
【図５】本発明の実施の形態に係る個人情報提供によるサポート画面の一例を示す図である。
【図６】本発明の実施の形態に係る健康診断支援システムの通信シーケンスを示す図である。
【符号の説明】
【００７４】
２  サンプル主（生体）
３Ａ  パーソナルコンピュータ
３Ｂ  携帯電話機
４  分析診断端末
５  管理サーバー
６  導入元
７  第三者組織
１０  イントラネット
１１  インターネット
４１  サンプル採取手段
４２  分析手段
４３  解析手段
４４  表示手段
４５  入力手段
４６  出力手段
４７  通信手段
４８  制御手段
４９  個人情報提供承諾機能
５０  医療機関紹介機能
５１  情報送信手段
５２  情報受信手段
５３  カウント手段
５４  対価算出手段
５５  制御手段
５６  データベース
４１０  データベース
４２０  殺菌レベル表示手段
【図１】
2007011747.tif 000003
【図２】
2007011747.tif 000004
【図３】
2007011747.tif 000005
【図４】
2007011747.tif 000006
【図５】
2007011747.tif 000007
【図６】
2007011747.tif 000008